(57)【特許請求の範囲】
【請求項１】
床下地面に床材を敷き詰めて上下方向と左右方向に連続した木目模様が存在しないモザイク模様を形成するための床下地面に床材を敷き詰める方法であって、床材として、４周にサネを有する２個以上の単位ピースが、隣接する単位ピースの側辺に形成したサネ同士を接着剤により接合することによって１枚の床材とされている床材であって、該床材を構成する各単位ピースは表面に木目模様を有しており、隣接する単位ピースが木目模様の方向が異なるようにして接合されている床材を用い、その床材の必要枚数を床下地面に左右方向と上下方向の双方に連続する木目模様がないようにして敷き詰めると共に、床下地面の端部などにおいて必要となった場合には、前記床材から１枚または１枚以上の単位ピースをサネ接合の位置から分離した状態の分離床材を調整して、その分離床材を前記床材とともに敷き詰めることで、床下地面に上下方向と左右方向に連続した木目模様が存在しないモザイク模様を形成することを特徴とする床下地面に床材を敷き詰める方法。
【請求項２】
床材として、床材を構成する単位ピースがすべて同じ形状の単位ピースである床材を用いることを特徴とする請求項１に記載の床下地面に床材を敷き詰める方法。
【請求項３】
床材として、床材を構成する単位ピースが形状の異なる２種以上の単位ピースで構成されている床材を用いることを特徴とする請求項１に記載の床下地面に床材を敷き詰める方法。
【発明の詳細な説明】
【技術分野】
【０００１】
本発明は床下地面へ床材を敷き詰める方法に関し、特に、モザイク模様を持つフロアを形成するときに有効な床材の敷き詰め方法に関する。
【背景技術】
【０００２】
モザイク模様を表面模様として持つフロアは知られており、モザイクフロアあるいはパーケットフロアなどと呼ばれている。施工に当たっては、通常、表面にモザイク模様を持つ床材を作り、その複数枚を接着剤を用いて床下地面に敷き詰めるようにしている（特許文献１，特許文献２など参照）。特許文献１では、異なった表面柄模様を持つ多数の単位ピースを可撓性のある材料で作った矩形状の下地材に貼着して１つの床材とし、その多数枚を床下地面に敷き詰めている。特許文献２では、複数の単位材をモザイク状に貼着集成して集成物を作り、そこからスライスして得た表面化粧材を合板のような芯材に貼り付けてモザイク模様を表面模様に持つ床材とし、その多数枚を床下地面に敷き詰めている。
【０００３】
【特許文献１】特開平１０−２８０６４６号公報
【特許文献２】特開平１０−５８４０６号公報
【発明の開示】
【発明が解決しようとする課題】
【０００４】
従来の表面にモザイク模様を持つ床材は、特許文献１，２に記載のように、一枚の下地材の上にモザイク模様となるようにして表面層を形成するようにしており、施工現場において、床下地面の端部などでの寸法合わせの理由から、床材を長手方向の途中で裁断することが必要となったときに、適切に裁断することが容易でなかった。特に、４周にサネ加工がされている床材の場合、裁断面ではサネがなくなっており、裁断面においてサネ接合が必要となったときに、それを行うことができなかった。
【０００５】
本発明は上記のような事情に鑑みてなされたものであり、施工現場で寸法合わせなどの必要から床材の一部を除去することが必要となったときでも、それを適切かつ容易に行うことができ、さらに、一部を除去した部分の端面においても、隣接する床材との間でサネ接合を行いうるようにした、床下地面へ床材を敷き詰める方法を提供することを目的とする。また、本発明は、モザイク模様を表面模様として持つフロアを施工するのに特に好適な床下地面へ床材を敷き詰める方法を提供することを目的とする。
【課題を解決するための手段】
【０００６】
本発明は、床下地面に床材を敷き詰める方法であって、床材として、４周にサネを有する２個以上の単位ピースが、隣接する単位ピースの側辺に形成したサネ同士を接着剤により接合することによって１枚の床材とされている床材を用い、その床材の必要枚数を互いにサネ接合しながら敷き詰めると共に、床下地面の端部などにおいて必要となった場合には、床材から１枚または１枚以上の単位ピースをサネ接合の位置から分離した状態の床材を調整して、それを敷き詰めることを特徴とする。
【０００７】
本発明による方法で使用する床材は、各単位ピースがサネ同士（例えば、一方のオスサネと他方のメスサネ同士）を接着剤により接合して形成されており、必要なときに、任意のサネ接合部から１枚または１枚以上の単位ピースを容易に分離することができる。サネ加工の形状は、容易に分離・着脱可能なサネ形状であればよく、特に制限はないが、より一層容易に分離できることから、本サネ形状が好適である。
【０００８】
従って、床材の敷き詰めを行う施工現場において、模様１個分をずらした状態で床材を敷き詰めて綺麗なモザイク模様を持つフロアとするために、床下地面の端部で１枚または複数枚の単位ピースを分離した床材を敷き詰めることが必要となったとき、あるいは、床下地面の端部や柱周りなどで１枚の床材全体を配置するスペースがなく、床材の一部を分離して寸法合わせをすることが必要となったとき、などに、所要個数の単位ピースを分離する作業をきわめて容易に行うことができる。また、分離面には、単位ピースに予め形成されているサネ加工部がそのまま現れるので、必要な場合には、隣接する床材との間にサネ接合を形成することもできる。
【０００９】
なお、単位ピース同士を接着する接着剤として、硬化後にも柔軟性のあるホットメルト系接着剤を用いることが好ましく、それにより、分離作業はより容易となる。
【００１０】
単位ピースは、基材としての合板あるいはＭＤＦのような加工木質材の表面に突き板のような化粧層を貼り付けたものでもよく、無垢薄板の上面に塗装などにより化粧層を形成したものでもよく、複数枚の銘木の無垢薄板材を積層接着したものの上面に塗装などにより化粧層を形成したものでもよい。
【００１１】
本発明の方法で用いる床材において、床材を構成する単位ピースはすべて同じ形状の単位ピースであってもよく、形状の異なる２種以上の単位ピースで構成されていてもよい。後者の場合、形状の異なる単位ピースを一定のパターンを繰り返すようにして長手方向に配列することにより、より意匠性の高い床材が得られる。
【００１２】
本発明の方法で用いる床材の好ましい態様では、床材を構成する各単位ピースは表面に木目模様を有しており、隣接する単位ピースが木目模様の方向が異なるようにして接合されている部分を少なくとも一か所に有すことを特徴とする。木目模様はすべてが同じであってもよく、一部が異なっていてもよく、すべてが異なっていてもよい。隣接している木目模様の方向を異ならせることにより、意匠性に富んだモザイク模様を持つ床材とすることができ、床材を敷き詰め後のフロアを、綺麗なモザイク模様を備えたものとすることができる。
【発明の効果】
【００１３】
本発明の方法によれば、施工現場で寸法合わせなどの必要から床材の一部を除去することが必要となったときでも、それを適切かつ容易に行うことができる。また、一部の単位ピースを除去した部分の端面にはサネ加工部が現れており、隣接する床材との間で、容易にサネ接合を行うことができる。さらに、本発明の方法により床材を敷き詰めることにより、綺麗なモザイク模様を表面模様として持つフロアを容易に施工することができる。
【発明を実施するための最良の形態】
【００１４】
以下、図面を参照して、本発明を実施の形態に基づき説明する。図１は、本発明による床下地面へ床材を敷き詰める方法で用いる床材の一形態をその製造方法と共に説明する図であり、図２は製造された床材を用いて、本発明による床材を敷き詰める方法を説明するための模式図である。図３は本発明による床下地面へ床材を敷き詰める方法で用いる床材の第２の実施の形態をその製造方法と共に説明する図である。
【００１５】
最初に、本発明の方法で用いる床材３０について説明する。図１に示す態様では、出発材料である第１の床基材として、図１ａに示すように、２種類の床基材１０ａ，１０ｂを用いている。この例において、２つの床基材１０ａ，１０ｂは、いずれも、１５２５ｍｍ×１５２５ｍｍであるバーチ薄板を木目方向を交互に直交させながら９層積層して１２ｍｍ厚としたものである。それを、床基材１０ａでは木目方向を縦方向にして使用し、床基材１０ｂでは木目方向を横方向にして使用している。第１の床基材の構成や寸法がこれに限らないことはもちろんであり、例えば、合板基材に化粧単板を貼着したものでもよい。
【００１６】
上記２つの第１の床基材１０ａ，１０ｂをランニングソーにセットして、図１ｂに示すように、適宜の寸法の第１の長尺部材１１ａ、１１ｂを切り出す。この例では、一方の第１の床基材１０ａからは、３１３ｍｍ×１２８４ｍｍである４枚の長尺部材１１ａを切り出し、他方の第１の床基材１０ｂからも、同じ寸法３１３ｍｍ×１２８４ｍｍである４枚の長尺部材１１ｂを切り出している。切り出し方向を同じにしているので、一方の長尺部材１１ａの木目方向は長辺方向であり、他方の長尺部材１１ｂの木目方向は短辺方向である。切り出した長尺部材１１ａ，１１ｂの寸法との関係で、この例では、２６１ｍｍ×１２８４ｍｍである第１の余剰材１２ａ，１２ｂ（木目方向は長辺方向）と、１５２１ｍｍ×２３８ｍｍである第２の余剰材１３ａ，１３ｂ（木目方向は短辺方向）が同時に切り出される。このような余剰材は、後記する第２の実施形態では床材構成材料として有効利用される。このような余剰材が出ないように、第１の床基材１０ａ，１０ｂの寸法を予め設定することも、当然に可能である。
【００１７】
切り出した長尺部材１１ａ，１１ｂに対して、テノーナーを用いて、その対向する２つの長辺側にサネ加工を行う。このサネ加工は従来の床材において行われているものと同じであってよく、それにより、図１ｃに示すように、一方の長辺側にオスサネ１４が、他方の長辺側にメスサネ１５が形成された、実寸法が３０３ｍｍ×１２８４ｍｍの長尺部材１１ａ，１１ｂが得られる。好ましくは、さらに、第１の長尺部材１１ａ，１１ｂの長手方向側縁の表面側縁部に面取り加工を施す。
【００１８】
次ぎに、２つの第１の長尺部材１１ａ，１１ｂの組み付けを行って、第２の床基材２０とする。その際に、同一の第１の床基材（例えば、第１の床基材１０ａ）から切り出した第１の長尺部材１１ａ、１１ａの間に他の第１の床基材（この例では、第１の床基材１０ｂ）から切り出した第１の長尺部材１１ｂが位置している状態が、少なくとも一か所に形成されるようにして、組み付けを行う。
【００１９】
ここでは、図１ｄに示すように、２枚の第１の長尺部材１１ａと２枚の第１の長尺部材１１ｂとを交互に配置して、計４枚の第１の長尺部材で第２の床基材２０としている。それにより、組み付け後の第２の床基材２０は、組み付けた第１の長尺部材の木目方向が一枚ごとに異なったものとなる。なお、何枚の第１の長尺部材を組み付けるかは、製造しようとする床材の長さによって決められるが、この例で、第２の床基材２０の寸法は１２１２ｍｍ×１２８４ｍｍであり、実寸法１２１２ｍｍの長さの床材３０が最後に製造されることとなる。
【００２０】
なお、各第１の長尺部材に当たっては、長手方向の側辺に形成したオスサネ１４とメスサネ１５をサネ結合をなすようにして組み付ける。サネ接合部には容易には分離しない程度に接着剤を塗布する。接着剤には、好ましくは、ホットメルト系接着剤を用いる。
【００２１】
第２の床基材２０をランニングソーに掛け、図１ｅに示すように、その接着接合しているサネの方向に直交する方向に、所定幅で裁断する。どの程度の幅で裁断するかは、製造しようとする床材の短辺側の幅によって決められるが、この例では、３１３ｍｍの幅で裁断して、４枚の第２の長尺部材２１を得るようにしている。
【００２２】
次ぎに、図１ｆに示すように、テノーナーを用いて、得られた各第２の長尺部材２１の対向する２つの長辺側にサネ加工を行う。このサネ加工も従来の床材において行われているものと同じであってよく、それにより、上方の長辺側にオスサネ１６が、下方の長辺側にメスサネ１７が形成される。好ましくは、さらに、長手方向側縁の表面側縁部に面取り加工を施す。左右の側辺側（短辺側）には、既に、オスサネ１４、メスサネ１５が形成されているので、長辺側にサネ加工を行うことにより、４つの単位ピースＰが接着接合して形成された、実寸法が３０３ｍｍ×１２１２ｍｍであり４周にサネを有する床材３０が形成される。その表面は、実質的に正方形である木目模様（単位ピースＰの表面の木目模様）が、その方向を交互に直交するようにして長手方向に配列したモザイク模様となっている。
【００２３】
次ぎに、上記図１ｆに示した構成を持つ床材３０を用いて、本発明による床下地面へ床材を敷き詰める方法を実施する場合の一態様を説明する。図２において、Ｆは床下地面であり、壁Ｗで区画されている。この床下地面Ｆに、前記床材３０を左右方向と上下方向の双方に連続する木目模様がないようにして敷き詰め、綺麗なモザイク模様を持つフロアとする場合を例として説明する。最初に、上辺左上偶部に床材３０を配置する。床材３０の裏面に点状または線状に接着剤を塗布して床下地面に貼り付けてもよく、床下地面の表面が薄いクッションシートが敷設されている場合には、接着剤なして単に配置していくようにしてもよい。その後、順次右方向に、短手方向に形成したオスサネ１４とメスサネ１５とをサネ接合しながら、右方端まで敷き詰める。
【００２４】
次ぎに、２段目の床材３０を配置する。その際、１段目に床材３０の真下に２段目の床材３０をそのままを置いたのでは、上下方向が連続した木目模様となり、高い意匠性を備えたモザイク模様が得られない。そのために、図示のように、単位ピース１個分だけ、右方向にずらして床材３０を配置することとなるが、そのずらしたスペースに敷き詰めるために、図で縦方向の木目模様を持つ１つの単位ピースＰからなる床材Ｐ１が必要となる。本発明で使用する床材３０は上記した構造を備えており、予備の床材３０Ｐから３つ分の単位ピースを接着剤によるサネ接合の箇所から分離して、１つの単位ピースＰからなる床材Ｐ１を得ることはきわめて容易であり、２段目の床材を配置するときに、最初に前記した床材Ｐ１を左壁面に接した位置に配置し、その側方に床材３０を順次配置していくことにより、上下方向と左右方向に連続した木目模様が存在しないモザイク模様を形成することができる。
【００２５】
３段目の床材３０を配置するときには、単位ピース２個分だけ、右方向にずらして床材３０を配置する。そのために、予備の床材３０Ｐから２つ分の単位ピースを接着剤によるサネ接合の箇所から分離して、単位ピース２個分の床材Ｐ２を得ることが必要であり、４段目の床材３０を配置するときには、単位ピース３個分だけ、右方向にずらして床材３０を配置することとなり、そのために、予備の床材３０Ｐから１つ分の単位ピースを接着剤によるサネ接合の箇所から分離して、単位ピース３個分からなる床材Ｐ３を得ることが必要となる。本発明による床材３０（３０Ｐ）を用いることにより、このような単位ピース１個分からなる床材Ｐ１、単位ピース２個分からなる床材Ｐ２、単位ピース３個分からなる床材Ｐ３を施工現場で調整することはきわめて容易である。また、周囲にはサネが形成されているので、そのままサネ接合状態を形成することができる。
【００２６】
図２の右壁面側に示すように、床材３０を左から右に向けて敷き詰めていく場合に、右壁面側でも、単位ピース１個分、２個分、３個分のスペースが発生する。そのスペースに対しては、前記のように左壁面側を施工するときに床材３０Ｐから分離した単位ピースを、そのまま、単位ピース１個分の床材Ｑ１（１段目），２個分の床材Ｑ２（２段目），３個分の床材Ｑ３（３段目）として使用することができる。このように、本発明による床下地面へ床材を敷き詰める方法を採用することにより、現場での作業性は大きく向上させることが可能となる。
【００２７】
図３に基づき、本発明による床下地面へ床材を敷き詰める方法で用いる床材の第２の形態を説明する。この例では、図３ａに示すように、１種類の第１の床基材１０ａのみを用いている。第１の形態と同様にして第１の床基材１０ａから第１の長尺部材１１ａを切り出す。それにより、図３ｂに示すように、４枚の第１の長尺部材１１ａと共に、２６１ｍｍ×１２８４ｍｍである第１の余剰材１２ａ（木目方向は長辺方向）と、１５２１ｍｍ×２３８ｍｍである第２の余剰材１３ａ（木目方向は短辺方向）が同時に切り出される。この態様では、第２の余剰材１３ａ（木目方向は短辺方向）を有効利用する。
【００２８】
図３ｂに示すように、第２の余剰材１３ａから、長さは第１の長尺部材１１ａと同じ長さ（１２８４ｍｍ）であり、幅は任意である第３の長尺部材１１ｃを切り出す。図３ｃに示すように、切り出した第３の長尺部材１１ｃをその長辺方向が第１の長尺部材１１ａの長辺方向と同じ方向になるように並べると、第３の長尺部材１１ｃの木目方向は第１の長尺部材１１ａの木目方向に対して直交した方向となる。
【００２９】
その状態で、図３ｄに示すように、第１の長尺部材１１ａと第３の長尺部材１１ｃとを交互に配置して、図１に示したと同様にして、第２の床基材２０ａとする。以下、図１に示した第１の形態と同じ工程を経て、第２の長尺部材２１ａを作り（図３ｅ）、さらに床材３０ａ（図３ｆ）とする。製造される床材３０ａは、２種類の単位ピースＰ，Ｐａの組み合わせとなっており、単位ピースＰは、図１に示した床材３０を構成する単位ピースＰと同じものであり、単位ピースＰａは、第２の余剰材１３ａから第３の長尺部材１１ｃを切り出すときの横幅に従って規定される。この場合、余剰材１３ａを使用しており、広い幅のものは確保できないので、通常の場合、図示のもののように、単位ピースＰａの横幅は単位ピースＰよりも幅の狭いものとなる。
【００３０】
この床材３０ａを用いる場合にも、単位ピースＰと単位ピースＰａとの任意のサネ接合部分で床材を分離することにより、図２基づき説明した床材３０の場合と同様の敷き詰め方法を実施できることは説明を要しない。
【００３１】
なお、以上の床材の説明では、第１の長尺部材として２種類のものを用いる例を説明したが、横幅あるいは模様の絵柄や方向の異なる３種以上の第１の長尺部材を用い、それらを適宜配列して第２の床基材を作ることもできる。それにより、より変化に富んだモザイク模様を表面に持つ床材が得られる。また、寸法を示すすべての数値はあくまでも例示であって、所望に応じて任意の寸法のものを用いかつ製造できることはいうまでもない。
【図面の簡単な説明】
【００３２】
【図１】本発明による床下地面へ床材を敷き詰める方法で用いる床材の一形態をその製造方法と共に説明する図。
【図２】図１に示した床材を用いて、本発明による床材を敷き詰める方法を説明するための模式図。
【図３】本発明による床下地面へ床材を敷き詰める方法で用いる床材の第２の実施の形態をその製造方法と共に説明する図。
【符号の説明】
【００３３】
１０ａ，１０ｂ…第１の床基材、１１ａ、１１ｂ…第１の長尺部材、１１ｃ…第３の長尺部材、１２ａ，１２ｂ…第１の余剰材、１３ａ，１３ｂ…第２の余剰材、１４，１５，１６，１７…サネ、２０、２０ａ…第２の床基材、２１、２１ａ…第２の長尺部材、３０，３０ａ…床材、Ｐ，Ｐａ…単位ピース、Ｐ１，Ｐ２，Ｐ３，Ｑ１，Ｑ２，Ｑ３…床材から一部の単位ピースを分離して調整された床材
【図１】
0004576297.tif 000002
【図２】
0004576297.tif 000003
【図３】
0004576297.tif 000004